(57)【要約】【課題】高周波の帯域阻止フィルタを、簡単な構造でかつ小型化する。【解決手段】矩形導波管１１ａ，１１ｂと円筒空胴共振器１２とを直列接続構成とする。具体的には、同一ケース１内において、一面開放の矩形状溝と、上面開放の円筒空胴部とを設け、カバー２で、これ等開放面を覆う構造とする。カバー２の円筒空胴部の部分に孔１５を設け、周波数調整ビス３を挿入する構造とする。こうすることにより、単一のケース内で、全てが収容され、また単一のケースを加工するだけで良いので、構造的にもコスト的にも有利となる。【選択図】　　　図１
2004048300.tif 000002
【特許請求の範囲】
【請求項１】
円筒空胴共振器と、この円筒空胴共振器の管壁に互いに対向して設けられた一対の結合孔を介してこの円筒空胴共振器にそれぞれ接続された一対の矩形導波管とを含むことを特徴とする帯域阻止フィルタ。
【請求項２】
前記円筒空胴共振器の軸方向の長さが共振周波数の波長よりも短く設定されていることを特徴とする請求項１記載の帯域阻止フィルタ。
【請求項３】
前記一対の矩形導波管は、ケース内に形成され一面が開放された一対の矩形状溝を有し、前記円筒空胴共振器は、前記ケース内の前記一対の矩形状溝の間に形成され上面が開放された円筒空胴部を有し、これ等矩形状溝及び円筒空胴部の開放面をカバーにて覆うよう構成されていることを特徴とする請求項１または２記載の帯域阻止フィルタ。
【請求項４】
前記カバーの前記円筒空胴部を覆う部分に、周波数調整ビスを挿入自在としたことを特徴とする請求項３記載の帯域阻止フィルタ。
【発明の詳細な説明】
【０００１】
【発明の属する技術分野】
本発明は帯域阻止フィルタに関し、特に矩形導波管と空胴共振器とを組み合わせた高周波の帯域阻止フィルタの改良に関するものである。
【０００２】
【従来の技術】
この様な矩形導波管と空胴共振器とを組み合わせて構成された高周波の帯域阻止フィルタの例としては、特開平１１−２７４８１７号公報に開示のものがある。図５はこの公報記載のフィルタ構造の外観図である。図５を参照すると、矩形導波管１０の外側壁面上に、共振器２１〜２３が接合されており、接合部位には、導波管１０内の電波が通過可能な窓部３１〜３３が形成されている。これ等窓部３１〜３３は複数の略円形孔あるいは略方形状の孔により構成され、個々の孔の大きさが矩形導波管１０内を通過する電力の周波数、通過を阻止しようとする電力の周波数及び電力減衰量の相関によって定められるようになっている。
【０００３】
また、これ等複数の略円形状孔あるいは略方形状孔を、電界強度が高くなる部分で、最大電流が流れるよう構成することにより、高電力時のアークの発生を防止することによって、大電力の帯域阻止フィルタを実現している。
【０００４】
【発明が解決しようとする課題】
この図５に示した帯域阻止フィルタにおいては、共振器２１〜２３を矩形導波管１０の外部に取り付ける構造となっているために、全体の構造が大きくなってしまうことは避けられないという問題がある。また、各共振器２１〜２３の共振周波数を調整するためには、各共振器のＨ面から調整ビス（図示せず）を挿入する必要があり、そのために、多段のフィルタを設計する際に、構造上の制約となるという問題もある。
【０００５】
本発明の目的は、簡単な構造でかつ小型化することが可能な帯域阻止フィルタを提供することである。
【０００６】
本発明の他の目的は、調整ビスを設ける際の構造上の制約をなくした帯域阻止フィルタを提供することである。
【０００７】
【課題を解決するための手段】
本発明によれば、円筒空胴共振器と、この円筒空胴共振器の管壁に互いに対向して設けられた一対の結合孔を介してこの円筒空胴共振器にそれぞれ接続された一対の矩形導波管とを含むことを特徴とする帯域阻止フィルタが得られる。
【０００８】
そして、前記円筒空胴共振器の軸方向の長さが共振周波数の波長よりも短く設定されていることを特徴とし、また前記一対の矩形導波管は、ケース内に形成され一面が開放された一対の矩形状溝を有し、前記円筒空胴共振器は、前記ケース内の前記一対の矩形状溝の間に形成され上面が開放された円筒空胴部を有し、これ等矩形状溝及び円筒空胴部の開放面をカバーにて覆うよう構成されていることを特徴とする。更に、前記カバーの前記円筒空胴部を覆う部分に、周波数調整ビスを挿入自在としたことを特徴としている。
【０００９】
本発明の作用を述べる。本発明による帯域阻止フィルタにおいては、空胴共振器を矩形導波管の外部に取り付けるという、いわゆる並列接続型の従来の構成に代えて、矩形導波管と空胴共振器とを直列接続する構成としている。具体的には、矩形導波管と円筒空胴共振器とは、同一ケース内において、一面開放の矩形状溝と上面開放の円筒空胴部として、それぞれ形成され、これ等開放面をカバーにて覆う構造とすることにより、一つのケース内に全てが収容され、小型化が可能となる。
【００１０】
周波数調整ビスは、カバーの円筒空胴部を覆う部分から挿入するように構成することにより、遮断周波数の調整が容易に行えることになる。
【００１１】
【発明の実施の形態】
以下に、本発明の実施例について図面を参照しつつ説明する。図１は本発明の実施例の構成を示す分解斜視図である。図１を参照すると、１はケース、２はカバー、３は空胴共振器の共振周波数を調整するための調整ビスであり、ある周波数に阻止帯域をつくるための手段となるものである。
【００１２】
図２（ａ）はカバー２を取り除いて上からみた平面図であり、また図２（ｂ）は図２（ａ）のＡ−Ａ線に沿う断面図であり、カバー２を取り付けた状態の断面図である。これ等図１，２を参照して、本発明の実施例の構成を説明する。
【００１３】
１１ａ，１１ｂは一対の矩形導波管であり、１２は円筒空胴共振器であり、１３，１４はこれ等一対の矩形導波管１１ａ，１１ｂを円筒空胴共振器１２に接続するための結合孔である。これ等結合孔１３，１４は円筒空胴共振器１２の管壁に互いに対向して設けられた一対の孔であり、結合孔の寸法は、矩形導波管１１ａ，１１ｂと円筒空胴共振器１２との整合が最も良好となる寸法に設定される。
【００１４】
一対の矩形導波管１１ａ，１１ｂはケース１内において、一面が開放状態の矩形状溝として形成されており、円筒空胴共振器１２は、ケース１内のこれ等矩形導波管１１ａ，１１ｂの間において、上面が開放状態の円筒空胴部として形成されている。そして、矩形状溝と円筒空胴部との各開放面を、カバー２により覆う構造となっており、このカバー２には、円筒空胴部すなわち円筒空胴共振器１２に対応する部分（Ｈ面に相当）に調整ビス３を挿入するための孔１５が設けられる。
【００１５】
円筒空胴共振器１２の軸方向は、矩形導波管１１ａ，１１ｂの幅広面に平行となっている。この共振器１２の直径をＤ、高さをＬとすると、Ｄ／Ｌを１．９程度、かつＬを円筒空胴共振器のＴＥ０１１モードの共振波長より短く設計することにより、帯域阻止フィルタを形成することができる。円筒空胴共振器１２のＬが共振波長より短いことから、ＴＥ０１１モードの共振電界分布で共振することができず、阻止周波数ｆｒ　において、図３に示すようなＴＥ０１１モードの共振電界分布とは異なる電界分布となり、そのときの周波数は円筒空胴共振器内で遮断される。なお、図３は円筒空胴共振器１２内のＬ／２の高さの面における電界分布図である。
【００１６】
これにより、図４に示すように、ＴＥ０１１モードの上下に存在する周波数モードであるＴＥ２１１モードとＴＥ３１１モードのスプリアスの間で、帯域阻止フィルタとなる様に動作することになるのである。
【００１７】
円筒空胴共振器１２よって共振させる伝搬モードはＴＥ０１１モードに限らず、ＴＥ０１２，ＴＥ０１３など、同じ共振モードの電界分布を有するモードであれば良い。また、上記実施例では、１段の帯域阻止フィルタとして説明したが、直列に多段でフィルタを構成しても、同様な効果が得られるものである。
【００１８】
【発明の効果】
以上述べた如く、本発明によれば、導波管の外部に共振器を設ける従来の構造とは異なり、導波管と円筒空胴共振器とを同一ケース内において一体的に形成したので、共通のカバーを有する帯域阻止フィルタが極めて簡単な構造で実現できるという効果がある。
【００１９】
また、フィルタの作製に際しては、ケースの一方向のみから切削により簡単に作製できるので、低コストとなるという効果もある。更に、円筒空胴共振器のＨ面から調整ビスを挿入することで、所望の阻止周波数ｆｒ　を調整することが可能となるという効果もある。
【図面の簡単な説明】
【図１】本発明の実施例の分解斜視図である。
【図２】（ａ）は本発明の実施例のカバーを取り除いた場合の上面図、（ｂ）はカバーを取り付けた場合の（ａ）におけるＡ−Ａ線に沿う矢視方向断面図である。
【図３】図１の円筒空胴共振器内の高さＬ／２の面での電界分布の例を示す図である。
【図４】本発明の実施例の減衰特性を示す図である。
【図５】従来の帯域阻止フィルタの構造を示す図である。
【符号の説明】
１　　　　　　　　ケース
２　　　　　　　　カバー
３　　　　　　　　調整ビス
１１ａ，１１ｂ　　矩形導波管
１２　　　　　　　円筒空胴共振器
１３，１４　　　　結合孔
１５　　　　　　　ビス用孔
【図１】
2004048300.tif 000003
【図２】
2004048300.tif 000004
【図３】
2004048300.tif 000005
【図４】
2004048300.tif 000006
【図５】
2004048300.tif 000007